(57)【特許請求の範囲】
【請求項１】
放送番組を一旦記録してから再生視聴する放送番組記録復号装置において、
前記放送番組に関する情報を記録する情報記録手段と、
前記記録した放送番組に関する情報を後から読み出して、希望する番組を再生視聴する再生視聴手段と、
前記再生視聴した番組に関する番組識別情報を少なくとも含む番組視聴情報を、番組の視聴数を管理する番組視聴数情報管理装置へ前記再生視聴したときに送信する送信手段と、
を有し、
前記再生視聴手段は、
前記番組を再生視聴した視聴回数を計測し、
前記送信手段は、
前記計測した視聴回数が１回のときには、前記番組視聴情報を前記番組視聴数情報管理装置へ送信し、前記計測した視聴回数が２回以上のときには、前記番組視聴情報を前記番組視聴数情報管理装置へ送信しない
ことを特徴とする放送番組記録復号装置。
【請求項２】
放送番組を一旦記録してから再生視聴する放送番組記録復号装置において、
前記放送番組に関する情報を記録する情報記録手段と、
前記記録した放送番組に関する情報を後から読み出して、希望する番組を再生視聴する再生視聴手段と、
前記再生視聴した番組に関する番組識別情報を少なくとも含む番組視聴情報を、番組の視聴数を管理する番組視聴数情報管理装置へ前記再生視聴したときに送信する送信手段と、
を有し、
前記送信手段は、
前記放送番組に関する情報を受信したときから一定期間内に前記番組を再生視聴した場合には、前記番組視聴情報を前記番組識別情報管理装置へ送信し、前記放送番組に関する情報を受信後一定期間経過後に前記番組を再生視聴した場合には、前記番組視聴情報を前記番組識別情報管理装置へ送信しない
ことを特徴とする放送番組記録復号装置。
【請求項３】
放送番組を一旦記録してから再生視聴する放送番組記録復号装置から送られて来る再生視聴した番組に関する番組視聴情報を受信する受信手段と、
前記受信した番組視聴情報を一の視聴単位として、これに基づいて所定の期間内の視聴数に関する情報を計算する視聴数計算手段と、
前記視聴数に関する情報を提示する提示手段と、
を有し、
前記受信手段は、前記番組視聴情報の受信時刻も記録し、
前記視聴数計算手段が計算する視聴数に関する情報とは、前記受信時刻に応じて前記視聴単位に重みを付け、この重みを付けた実効視聴単位を足し合わせた実効視聴数である
ことを特徴とする番組視聴数情報管理装置。
【請求項４】
前記受信手段が受信する番組視聴情報には、番組の視聴回数が付加され、
前記視聴数計算手段は、前記計算した視聴数に関する情報を前記視聴回数に基づいて分類する
ことを特徴とする請求項３記載の番組視聴数情報管理装置。
【請求項５】
放送番組を一旦記録してから再生視聴する放送番組記録復号装置から送られて来る再生視聴した番組に関する番組視聴情報を受信する受信手段と、
前記受信した番組視聴情報を一の視聴単位として、これに基づいて所定の期間内の視聴数に関する情報を計算する視聴数計算手段と、
前記視聴数に関する情報を提示する提示手段と、
を有し、
前記受信手段が受信する番組視聴情報には、番組の視聴回数が付加され、
前記視聴数計算手段が計算する視聴数に関する情報とは、前記視聴回数に応じて前記視聴単位に重みを付け、この重みを付けた実効視聴単位を足し合わせた実効視聴数である
ことを特徴とする番組視聴数情報管理装置。
【請求項６】
前記提示手段は、
番組を放送してから前記受信手段が前記番組視聴情報を受信するまでの時間に対応して計算した視聴数を分類して提示する
ことを特徴とする請求項３から５記載の番組視聴数情報管理装置。
【請求項７】
前記提示手段は、
前記視聴回数も提示する
ことを特徴とする請求項４，５記載の番組視聴数情報管理装置。
【請求項８】
放送番組を一旦記録してから再生視聴する放送番組記録復号方法において、
前記放送番組に関する情報を記録する情報記録ステップと、
前記記録した放送番組に関する情報を後から読み出して、希望する番組を再生視聴する再生視聴ステップと、
前記再生視聴した番組に関する番組識別情報を少なくとも含む番組視聴情報を、番組の視聴数を管理する番組視聴数情報管理装置へ前記再生視聴したときに送信する送信ステップと、
を有し、
前記再生視聴ステップは、
前記番組を再生視聴した視聴回数を計測し、
前記送信ステップは、
前記計測した視聴回数が１回のときには、前記番組視聴情報を前記番組視聴数情報管理装置へ送信し、前記計測した視聴回数が２回以上のときには、前記番組視聴情報を前記番組視聴数情報管理装置へ送信しない
ことを特徴とする放送番組記録復号方法。
【請求項９】
放送番組を一旦記録してから再生視聴する放送番組記録復号方法において、
前記放送番組に関する情報を記録する情報記録ステップと、
前記記録した放送番組に関する情報を後から読み出して、希望する番組を再生視聴する再生視聴ステップと、
前記再生視聴した番組に関する番組識別情報を少なくとも含む番組視聴情報を、番組の視聴数を管理する番組視聴数情報管理装置へ前記再生視聴したときに送信する送信ステップと、
を有し、
前記送信ステップは、
前記放送番組に関する情報を受信したときから一定期間内に前記番組を再生視聴した場合には、前記番組視聴情報を前記番組識別情報管理装置へ送信し、前記放送番組に関する情報を受信後一定期間経過後に前記番組を再生視聴した場合には、前記番組視聴情報を前記番組識別情報管理装置へ送信しない
ことを特徴とする放送番組記録復号方法。
【請求項１０】
放送番組を一旦記録してから再生視聴する放送番組記録復号装置から送られて来る再生視聴した番組に関する番組視聴情報を受信する受信ステップと、
前記受信した番組視聴情報を一の視聴単位として、これに基づいて所定の期間内の視聴数に関する情報を計算する視聴数計算ステップと、
前記視聴数に関する情報を提示する提示ステップと、
を有し、
前記受信ステップは、前記番組視聴情報の受信時刻も記録し、
前記視聴数計算手段が計算する視聴数に関する情報とは、前記受信時刻に応じて前記視聴単位に重みを付け、この重みを付けた実効視聴単位を足し合わせた実効視聴数である
ことを特徴とする番組視聴数情報管理方法。
【請求項１１】
放送番組を一旦記録してから再生視聴する放送番組記録復号装置から送られて来る再生視聴した番組に関する番組視聴情報を受信する受信ステップと、
前記受信した番組視聴情報を一の視聴単位として、これに基づいて所定の期間内の視聴数に関する情報を計算する視聴数計算ステップと、
前記視聴数に関する情報を提示する提示ステップと、
を有し、
前記受信手段が受信する番組視聴情報には、番組の視聴回数が付加され、
前記視聴数計算手段が計算する視聴数に関する情報とは、前記視聴回数に応じて前記視聴単位に重みを付け、この重みを付けた実効視聴単位を足し合わせた実効視聴数である
ことを特徴とする番組視聴数情報管理方法。
【発明の詳細な説明】
【０００１】
【発明の属する技術分野】
本発明は、放送された番組を一旦記録して再生視聴する放送番組記録復号装置装置、いわゆるタイムシフト視聴が可能な装置、及び、番組の視聴数を管理する番組視聴数情報管理装置に関するものである。
【０００２】
【従来の技術】
従来の視聴数は、放送された番組をリアルタイムで視聴したもののみ視聴数にカウントし、情報記録媒体に一旦記録して後に再生して視聴したものについては視聴数にカウントしていなかった。
【０００３】
【発明が解決しようとする課題】
しかし、いわゆるタイムシフト視聴が可能な受信再生装置では、受信した番組を記録媒体に一旦記録し、その番組を後に読み出し視聴する仕組みとなっている。
【０００４】
そのために、視聴者はリアルタイム視聴かタイムシフト視聴かを意識することなく視聴可能なことを考慮すると、リアルタイム視聴をした場合のみを視聴数としてカウントとすると、実際に視聴した人の一部しか視聴数に反映されないという問題点が発生する。
【０００５】
そこで、本発明は、上記問題点に鑑みリアルタイム視聴とタイムシフト視聴の両方を視聴数とカウントできる放送番組記録復号装置及び番組視聴数情報管理装置を提供する。
【０００６】
【課題を解決する手段】
請求項１の発明は、放送番組を一旦記録してから再生視聴する放送番組記録復号装置において、前記放送番組に関する情報を記録する情報記録手段と、前記記録した放送番組に関する情報を後から読み出して、希望する番組を再生視聴する再生視聴手段と、前記再生視聴した番組に関する番組識別情報を少なくとも含む番組視聴情報を、番組の視聴数を管理する番組視聴数情報管理装置へ前記再生視聴したときに送信する送信手段と、を有し、前記再生視聴手段は、前記番組を再生視聴した視聴回数を計測し、前記送信手段は、前記計測した視聴回数が１回のときには、前記番組視聴情報を前記番組視聴数情報管理装置へ送信し、前記計測した視聴回数が２回以上のときには、前記番組視聴情報を前記番組視聴数情報管理装置へ送信しないことを特徴とする放送番組記録復号装置である。
【０００７】
請求項２の発明は、放送番組を一旦記録してから再生視聴する放送番組記録復号装置において、前記放送番組に関する情報を記録する情報記録手段と、前記記録した放送番組に関する情報を後から読み出して、希望する番組を再生視聴する再生視聴手段と、前記再生視聴した番組に関する番組識別情報を少なくとも含む番組視聴情報を、番組の視聴数を管理する番組視聴数情報管理装置へ前記再生視聴したときに送信する送信手段と、を有し、前記送信手段は、前記放送番組に関する情報を受信したときから一定期間内に前記番組を再生視聴した場合には、前記番組視聴情報を前記番組識別情報管理装置へ送信し、前記放送番組に関する情報を受信後一定期間経過後に前記番組を再生視聴した場合には、前記番組視聴情報を前記番組識別情報管理装置へ送信しないことを特徴とする放送番組記録復号装置である。
【０００８】
請求項３の発明は、放送番組を一旦記録してから再生視聴する放送番組記録復号装置から送られて来る再生視聴した番組に関する番組視聴情報を受信する受信手段と、前記受信した番組視聴情報を一の視聴単位として、これに基づいて所定の期間内の視聴数に関する情報を計算する視聴数計算手段と、前記視聴数に関する情報を提示する提示手段と、を有し、前記受信手段は、前記番組視聴情報の受信時刻も記録し、前記視聴数計算手段が計算する視聴数に関する情報とは、前記受信時刻に応じて前記視聴単位に重みを付け、この重みを付けた実効視聴単位を足し合わせた実効視聴数であることを特徴とする番組視聴数情報管理装置である。
【０００９】
請求項４の発明は、前記受信手段が受信する番組視聴情報には、番組の視聴回数が付加され、前記視聴数計算手段は、前記計算した視聴数に関する情報を前記視聴回数に基づいて分類することを特徴とする請求項３記載の番組視聴数情報管理装置である。
【００１０】
請求項５の発明は、放送番組を一旦記録してから再生視聴する放送番組記録復号装置から送られて来る再生視聴した番組に関する番組視聴情報を受信する受信手段と、前記受信した番組視聴情報を一の視聴単位として、これに基づいて所定の期間内の視聴数に関する情報を計算する視聴数計算手段と、前記視聴数に関する情報を提示する提示手段と、を有し、前記受信手段が受信する番組視聴情報には、番組の視聴回数が付加され、前記視聴数計算手段が計算する視聴数に関する情報とは、前記視聴回数に応じて前記視聴単位に重みを付け、この重みを付けた実効視聴単位を足し合わせた実効視聴数であることを特徴とする番組視聴数情報管理装置である。
【００１１】
請求項６の発明は、前記提示手段は、番組を放送してから前記受信手段が前記番組視聴情報を受信するまでの時間に対応して計算した視聴数を分類して提示することを特徴とする請求項３から５記載の番組視聴数情報管理装置である。
【００１２】
請求項７の発明は、前記提示手段は、前記視聴回数も提示することを特徴とする請求項４，５記載の番組視聴数情報管理装置である。
【００１３】
請求項８の発明は、放送番組を一旦記録してから再生視聴する放送番組記録復号方法において、前記放送番組に関する情報を記録する情報記録ステップと、前記記録した放送番組に関する情報を後から読み出して、希望する番組を再生視聴する再生視聴ステップと、前記再生視聴した番組に関する番組識別情報を少なくとも含む番組視聴情報を、番組の視聴数を管理する番組視聴数情報管理装置へ前記再生視聴したときに送信する送信ステップと、を有し、前記再生視聴ステップは、前記番組を再生視聴した視聴回数を計測し、前記送信ステップは、前記計測した視聴回数が１回のときには、前記番組視聴情報を前記番組視聴数情報管理装置へ送信し、前記計測した視聴回数が２回以上のときには、前記番組視聴情報を前記番組視聴数情報管理装置へ送信しないことを特徴とする放送番組記録復号方法である。
【００１４】
請求項９の発明は、放送番組を一旦記録してから再生視聴する放送番組記録復号方法において、前記放送番組に関する情報を記録する情報記録ステップと、前記記録した放送番組に関する情報を後から読み出して、希望する番組を再生視聴する再生視聴ステップと、前記再生視聴した番組に関する番組識別情報を少なくとも含む番組視聴情報を、番組の視聴数を管理する番組視聴数情報管理装置へ前記再生視聴したときに送信する送信ステップと、を有し、前記送信ステップは、前記放送番組に関する情報を受信したときから一定期間内に前記番組を再生視聴した場合には、前記番組視聴情報を前記番組識別情報管理装置へ送信し、前記放送番組に関する情報を受信後一定期間経過後に前記番組を再生視聴した場合には、前記番組視聴情報を前記番組識別情報管理装置へ送信しないことを特徴とする放送番組記録復号方法である。
【００１５】
請求項１０の発明は、放送番組を一旦記録してから再生視聴する放送番組記録復号装置から送られて来る再生視聴した番組に関する番組視聴情報を受信する受信ステップと、前記受信した番組視聴情報を一の視聴単位として、これに基づいて所定の期間内の視聴数に関する情報を計算する視聴数計算ステップと、前記視聴数に関する情報を提示する提示ステップと、を有し、前記受信ステップは、前記番組視聴情報の受信時刻も記録し、前記視聴数計算手段が計算する視聴数に関する情報とは、前記受信時刻に応じて前記視聴単位に重みを付け、この重みを付けた実効視聴単位を足し合わせた実効視聴数であることを特徴とする番組視聴数情報管理方法である。
【００１６】
請求項１１の発明は、放送番組を一旦記録してから再生視聴する放送番組記録復号装置から送られて来る再生視聴した番組に関する番組視聴情報を受信する受信ステップと、前記受信した番組視聴情報を一の視聴単位として、これに基づいて所定の期間内の視聴数に関する情報を計算する視聴数計算ステップと、前記視聴数に関する情報を提示する提示ステップと、を有し、前記受信手段が受信する番組視聴情報には、番組の視聴回数が付加され、前記視聴数計算手段が計算する視聴数に関する情報とは、前記視聴回数に応じて前記視聴単位に重みを付け、この重みを付けた実効視聴単位を足し合わせた実効視聴数であることを特徴とする番組視聴数情報管理方法である。
【００１９】
【発明実施の形態】
（第１の実施例）
本発明の第１の実施例を、図１から図４に基づいて説明する。
【００２０】
本実施例のシステムを説明する。
【００２１】
放送局１は、ARIB（電波産業会：Association of Radio Industries and Businesses） STD-B10に準拠したＭＰＥＧ２トランスポートストリームをデジタル放送する。ユーザ側では、その受信したデジタル放送を放送番組記録復号装置１００における情報記録媒体に一旦記録し、後からタイムシフト視聴する。そして、そのタイムシフト視聴すると番組識別情報を１回だけ番組視聴数管理サーバ２００に送信する。
【００２２】
その放送番組記録復号装置１００と番組視聴数情報管理サーバ２００の例を以下に示す。
【００２３】
（１）放送番組記録復号装置１００
ＭＰＥＧ２トランスポートストリームを用いて放送されるデジタル放送を情報記録媒体に記録する放送番組記録復号装置１００の構成を図１に示す。
【００２４】
放送番組記録復号装置１００は、チューナ・復調部２、信号切替部３、ハードディスクよりなる情報記録媒体４、ＭＰＥＧ２トランスポートストリームデコード部５、オーディオストリームデコード部６、ビデオストリームデコード部７、スピーカー８、ディスプレー９、ＣＰＵ１０、番組視聴情報格納部１１、ネットワークインターフェース部１２からなる。
【００２５】
放送番組記録復号装置１００の動作を説明する。
【００２６】
放送局１から送られるデータはチューナ・復調部２でＭＰＥＧ２トランスポートストリームとして取り出され、信号切替部３を通って情報記録媒体４に記録される。
【００２７】
ＭＰＥＧ２トランスポートストリームデコード部５は、CPU１０からの指示に従い情報記録媒体４からのＭＰＥＧ２トランスポートストリームを読み出し、ビデオストリーム、オーディオストリーム等に分離し、ビデオストリームをビデオストリームデコード部７、オーディオストリームをオーディオストリームデコード部６に書き込む。
【００２８】
また、ＭＰＥＧ２トランスポートストリームデコード部５は、ＭＰＥＧ２トランスポートストリーム内に含まれるSDT（Service Descriptor Table）の内のservice_descriptor()からservice_provider_nameとservice_name、TDT(Time Data Table)から日時、時刻を抜き出して、現在視聴しているストリームに対応する番組識別情報を作成する。service_descriptor()のシンタックスの例を、図２に示し、TDT(Time Data Table)のシンタックスの例を図３に示す。
【００２９】
ビデオストリームデコード部７、オーディオストリームデコード部６でデコードされたデータは、それぞれディスプレー９、スピーカー８で再生される。
【００３０】
CPU１０の動作は図４のフローチャートを用いて説明する。
【００３１】
ここで、放送番組記録復号装置１００は、その装置内に番組識別情報を保持する有効期間（例えば、１０日間）を予め決めているものとする。
【００３２】
ステップＳ１において、ＭＰＥＧ２トランスポートストリームデコード部５から上記で説明した番組識別情報を受け取る。
【００３３】
ステップＳ２において、番組識別情報と番組視聴情報格納部１１の中の番組識別情報を比較する。
【００３４】
その番組識別情報が番組視聴情報格納部１１にない場合は、ステップＳ３において、その番組識別情報が有効期間内か否かを調べ、有効期間内ならば番組視聴情報格納部１１に格納する。
【００３５】
ステップＳ５において、ネットワークインターフェース部１２によって電話回線等を介して番組視聴数情報管理サーバ２００に番組識別情報を番組視聴情報として送信する。
【００３６】
ステップＳ２において、番組視聴情報格納部１１に同じ番組識別情報があった場合は、やはりステップＳ６において、その番組識別情報が有効期間内か否かを調べる。
【００３７】
有効期間外の場合はステップＳ１７において、番組視聴情報格納部１１から元から記憶されていた番組識別情報を削除する。一方、有効期間内の場合は削除しない。いずれの場合も番組視聴数情報管理サーバ２００に番組視聴情報は送信しない。
【００３８】
また、有効期間の過ぎた番組識別情報はステップＳ１７以外の方法で削除してもよい。例えば、装置起動時に番組視聴情報格納部１１内の番組識別情報を全てチェックして、有効期間の過ぎた番組識別情報は削除してもよい。
【００３９】
（２）番組視聴数情報管理サーバ２００
次に、放送番組記録復号装置１００に対応する番組視聴数情報管理サーバ２００の動作について説明する。
【００４０】
放送局１や視聴率調査会社に設けられた番組視聴数情報管理サーバ２００は、放送番組記録復号装置１００から送られてくる番組識別情報と、その番組識別情報が番組視聴数情報管理サーバ２００に到着した時刻を記録する。
【００４１】
次に、これらのデータを用いて視聴数の計算をする例を以下に示す。
【００４２】
番組視聴数情報管理サーバ２００は、番組視聴情報が一回受信されると、一回の視聴が行われたとして、視聴数を１回と数える。番組視聴情報がｍ回受信されると、ｍ回の視聴が行われたとして、視聴数をｍ回と数える。なお、ここで、視聴が行われたか否か示す言葉として視聴単位Ｐという言葉を用い、視聴が行われていれば視聴単位Ｐ＝１となり、視聴が行われていなければ視聴単位Ｐ＝０となる。
【００４３】
本実施例では、放送してからｄ日間の視聴数から実効的な視聴者の数（以下、実効視聴数という）を計算する。ここで、実効視聴数とは、視聴数に特定の重みを付けてより統計的に価値のある値にしたものをいう。
【００４４】
その計算方法は、放送してから番組識別情報が番組視聴数情報管理サーバ２００に届くまでの時間Ｔ（秒）を用いて、
実効視聴単位Ｑ（Ｔ，ｄ）＝
視聴単位Ｐ×（60×60×24×ｄ−Ｔ）/（60×60×24×ｄ）…（１）
という値で表す。ここで、（０＝＜Ｑ（Ｔ，ｄ）＝＜１）である。
【００４５】
そして、実効視聴単位Ｑ（Ｔ，ｄ）を足し合わせることで実効視聴数Ｒを計算する。
【００４６】
【数１】
0003641600.tif 000002
このように重み付け（Ｔを用いていること）をする理由は、例えば、放送データをバッファに一旦蓄積し、放送番組記録装置１００が番組視聴数情報管理サーバ２００にこれまでの視聴数の多いものを問い合わせ、優先的にタイムシフト視聴するようなシステムを有する場合にも、番組視聴数情報管理サーバ２００に届いた時刻に応じた重み付けを行うことで、正帰還がかかって視聴数の多い番組がますます視聴数が多くなることを防ぐことが出来る。
【００４７】
そして、番組視聴数情報管理サーバ２００に視聴数の問い合わせがあった場合には、例えば、番組視聴数情報管理サーバ２００は、この実効視聴数をティスプレーによる表示やプリンターによる出力によって提示する。
【００４８】
また、番組識別情報の到着時間毎（例えば、放送後10秒以内、１分以内、１０分以内、１時間以内等）の実効視聴数を提示してもよい。
【００４９】
（３）変更例
なお、番組視聴数情報管理サーバ２００は、式（１）式のような重み付けをせずに、式（３）に示すように、単純に受信した視聴数Ｐを足し合わせて視聴数を求めることも可能である。
【００５０】
【数２】
0003641600.tif 000003
（第２の実施例）
第２の実施例として、番組識別情報送信時に視聴回数ｎを付加して２度目以降の視聴時にも送信する放送番組記録復号装置１００と、それに対応する番組視聴数情報管理サーバ２００について説明する。
【００５１】
（１）放送番組記録復号装置１００
放送番組記録復号装置１００の構成は、第１の実施例の図１と同じ構成である。
【００５２】
CPU10の動作について図５のフローチャートを用いて説明する。
【００５３】
CPU１０は、ステップＳ１２において、番組識別情報と番組視聴情報格納部１１の中の番組識別情報を比較する。
【００５４】
その番組識別情報が番組視聴情報格納部１１にない場合は、ステップＳ１３において、その番組識別情報が放送番組記録復号装置１００が決めた有効期間内か否かを調べる。
【００５５】
有効期間内ならば番組視聴情報格納部１１に格納し、またステップＳ１５において、視聴回数ｎを１回と記録する。
【００５６】
ステップＳ１８において、ネットワークインターフェース部１２を介して番組視聴数情報管理サーバ２００へ、番組識別情報及び視聴回数ｎ（この場合１回）を番組識別情報として送信する。有効期間外の場合は送信しない。
【００５７】
ステップＳ１２において、番組視聴情報格納部１１に同じ番組識別情報があった場合は、やはりステップＳ１４において、その番組識別情報が有効期間内か否かを調べる。
【００５８】
有効期間外の場合はステップＳ１７において、番組視聴情報格納部１１から番組識別情報を削除する。
【００５９】
有効期間内の場合はステップＳ１６において、視聴回数を一つ増加させ、ステップＳ１８においてネットワークインターフェース部１２を介して番組視聴数情報管理サーバ２００に番組識別情報、視聴回数ｎ（例えば、ｎ＝２）を番組識別情報として送信する。
【００６０】
ここでも、有効期間の過ぎた番組識別情報はステップＳ１７以外の方法、例えば装置起動時に番組視聴情報格納部１１内の番組情報をすべてチェックすることで削除しても構わない。
【００６１】
（２）番組視聴数情報管理サーバ２００
次に、放送番組記録復号装置１００に対応する番組視聴数情報管理サーバ２００の動作について説明する。
【００６２】
番組視聴数情報管理サーバ２００は、放送番組記録復号装置１００から送られてくる番組識別情報（番組視聴情報と視聴回数ｎ）、その番組識別情報が番組視聴数情報管理サーバ２００に到着した時刻を記録する。
【００６３】
次に、これらのデータを用いて視聴数の計算をする例を以下に示す。
【００６４】
番組視聴数情報管理サーバ２００は、視聴回数１回目の番組視聴情報だけを用いれば、式（２）、または、式（３）を用いて第１の実施例と同様に実効視聴数や視聴数の計算が出来る。
【００６５】
また、視聴回数２回目以降の番組視聴情報も含めて式（２）、または、式（３）の視聴数の計算を行うことも可能である。
【００６６】
さらに、この実施例の場合、視聴回数毎に式（２）、式（３）を用いて視聴回数毎の実効視聴数や視聴数を分類して求めることも出来る。
【００６７】
（３）変更例
なお、上記実施例では、視聴回数毎に分類して提示する構成となっているが、これに代えて、視聴回数ｎに基づいて視聴数に重みをつけてもよい。例えば、下記のように視聴回数ｎが増加するほど実効視聴単位Ｑ’を減少させてもよい。
【００６８】
実効視聴単位Ｑ’（ｎ）＝視聴単位Ｐ／ｎ              …（４）
という値で表し、これを足し合わせることで実効視聴数を計算する。
【００６９】
【数３】
0003641600.tif 000004
（第３の実施例）
第３の実施例として、視聴回数を付加せずに番組識別情報を毎回送信する放送番組記録復号装置１００と、それに対応する番組視聴数情報管理サーバ２００について説明する。
【００７０】
（１）放送番組記録復号装置１００
放送番組記録復号装置１００の構成は第１の実施例の図１と同じ構成であるが、番組視聴情報格納部１１を有していない。
【００７１】
CPU１０の動作については図６のフローチャートを用いて説明する。
【００７２】
CPU１０は、ステップＳ２２において、その番組識別情報が有効期間内か否かを調べる。
【００７３】
有効期間内ならば、ステップＳ２３において、ネットワークインターフェース部１２を介して番組視聴数情報管理サーバ２００に番組識別情報を番組識別情報として送信する。
【００７４】
有効期間外の場合は送信しない。
【００７５】
（２）番組視聴数情報管理サーバ２００
次に、放送番組記録復号装置１００に対応する番組視聴数情報管理サーバ２００の動作について説明する。
【００７６】
番組視聴数情報管理サーバ２００は、上記番組識別情報と、番組識別情報が番組視聴数情報管理サーバに到着した時刻を記録する。
【００７７】
この場合も式（２）、または、式（３）を用いれば第１の実施例と同様の実効視聴数や視聴数を計算できる。
【００７８】
（変更例１）
上記各実施例では、ＭＰＥＧ２トランスポートストリーム中のservice_descriptor()とTDT(Time Data Table)を用いて番組識別情報を作成し、送信、保管する例を述べたが、これに代えて、ＭＰＥＧ２トランスポートストリームに応答のための番組識別情報を予め埋め込んでおき、それを用いることも可能である。
【００７９】
（変更例２）
上記各実施例では、番組視聴数情報管理サーバ２００が計算する視聴数に関する情報としては、視聴数または実効視聴数であったが、これに限らず、例えば、視聴数を全ての視聴家庭で割った視聴率を計算してもよい。
【００８０】
【発明の効果】
本発明によれば、タイムシフト視聴をした視聴者を視聴数に加えることが可能になる。
【００８１】
また、例えば放送データをバッファに一旦蓄積し、放送番組記録装置が番組視聴数情報管理サーバにこれまでの視聴数の多いものを問い合わせ、優先的にタイムシフト視聴するような場合にも、番組視聴数情報管理サーバに届いた時刻に応じた重み付けを行うことで視聴数の多い番組がますます視聴数が多くなることを防ぐことが出来る。
【００８２】
また、番組が何回視聴されたかを知りたい場合や、同じ番組を何度も見ているかを知りたい場合にも、本発明を用いれば知ることが出来る。
【図面の簡単な説明】
【図１】本発明の第１の実施例における放送番組記録装置の構成である。
【図２】  service_descriptor()のシンタックスである。
【図３】  TDT(Time Data Table)のシンタックスである。
【図４】番組を最初に視聴した場合のみ番組情報を番組視聴数情報管理サーバに送信する場合の手順のフローチャートである。
【図５】第２の実施例における番組を視聴した回数を番組情報に付加して番組視聴数情報管理サーバに送信する場合の手順のフローチャートである。
【図６】第３の実施例における番組を視聴したら視聴回数に関係なく番組情報を番組視聴数情報管理サーバに送信する場合の手順のフローチャートである。
【符号の説明】
１……放送局
２……チューナ・復調部
３……信号分岐部
４……情報記録媒体
５……ＭＰＥＧ２トランスポートストリームデコード部
６……オーディオストリームデコード部
７……ビデオストリームデコード部
８……スピーカー
９……ディスプレー
１０…ＣＰＵ
１１…番組視聴情報格納部
１２…ネットワークインターフェース部
１３…視聴数管理サーバ
【図１】
0003641600.tif 000005
【図２】
0003641600.tif 000006
【図３】
0003641600.tif 000007
【図４】
0003641600.tif 000008
【図５】
0003641600.tif 000009
【図６】
0003641600.tif 000010